(57)【要約】【課題】清掃性、排水性を向上でき、残水問題も減少できる浴室出入口用建具の提供。【解決手段】下枠１２Ａの上面部１２１は略フラットな面とされているので、スロープ用アタッチメント３０Ｃを取り外した際の清掃を容易に行うことができる。また、下枠１２Ａの略フラットな上面部１２１と、スロープ用アタッチメント３０Ｃとの間に排水空間６０を形成しているので、アタッチメント３０を取り外した際に上面部１２１に連続する取付片等が存在せず、容易に清掃でき、かつ排水性を向上できて残水を少なくできる。【選択図】図４
2010163865.tif 000002
【特許請求の範囲】
【請求項１】
浴室出入口に取り付けられる建具枠と、この建具枠に対して開閉可能に設けられた戸とを備えて構成された浴室出入口用建具であって、
前記建具枠の下枠は、上面部と、この上面部の脱衣室側端部から上方に立ち上がって形成された立上部とを備え、前記上面部は、浴室側に下がる水勾配を有して形成され、
前記上面部には、前記下枠の長手方向に連続する少なくとも１本の溝が形成されるとともに、少なくとも１つのアタッチメント取付部材が取り付けられ、
前記アタッチメント取付部材は、その底面から突出して前記溝と係合可能な少なくとも１本の突条部を有し、当該アタッチメント取付部材には、上端が前記立上部上端と略同じ高さに位置されかつ浴室側に向かって低くなる傾斜面を有するスロープ用アタッチメントが係合して取り付けられ、
前記スロープ用アタッチメントおよび前記下枠の上面部間には上面部上に流出した水を浴室側に戻す排水空間が形成され、
前記スロープ用アタッチメントの端部には、排水口カバー部材が取り付けられ、この排水口カバー部材の浴室側端部には、浴室の洗い場上面との間に開口が形成され、前記排水空間に入った水が前記開口を介して洗い場上面に排水される浴室出入口用建具。
【請求項２】
前記上面部の溝と前記アタッチメント取付部材の底面の突条部とは、それぞれ複数本で構成されている請求項１に記載の浴室出入口用建具。
【発明の詳細な説明】
【技術分野】
【０００１】
本発明は、浴室出入口用建具に関する。詳しくは、バリアフリー対応の浴室出入口用建具（サッシ）に関する。
【背景技術】
【０００２】
浴室出入口用の建具（サッシ）として、浴室の居室側（脱衣室側）の床面から、建具下枠の上面および浴室の床面（洗い場）まで、高さレベルがほぼ一定な略フラット（平ら）な面を形成したバリアフリータイプの建具が知られている。
このようなバリアフリータイプの浴室出入口用建具としては、従来は、洗い場から脱衣室側に水が流出することを防止するため、浴室出入口用建具の下枠下側に配水樋や排水管を設け、浴室から流出する水を下枠下側の排水樋等に落として排水する構造のものが用いられていた。
【０００３】
一方、この従来の構造では、建具下側や洗い場の下側などに排水樋や配水管を配置するスペースが必要となり、施工性やメンテナンス性が低下するため、このような排水樋等を設けない浴室出入口用建具も提案されている（例えば、特許文献１参照）。
特許文献１では、浴室出入口用建具の下枠の脱衣室側端部に立上部を設けるとともに、この立上部および戸（障子）間にその隙間部分を塞ぐシール材を配置し、洗い場から脱衣室側への水の流出を前記立上部およびシール材で防止していた。
【０００４】
この際、前記立上り部が設けられることで、建具の上面および脱衣室の床面の高さレベルはほぼ同じにすることができるが、浴室の洗い場と建具の上面との間に例えば１０〜１５mm程度の段差が生じていた。このため、前記特許文献１では、押出成形で製造される下枠に、その長手方向に連続するアタッチメント取付片を一体に形成し、この取付片に傾斜面を有するアタッチメントを取り付け、段差部分にスロープを設けることで、浴室出入口部分を車椅子等であってもスムーズに移動できるようにしていた。
この特許文献１のような下枠下側の排水樋等を不要にした浴室出入口の低段差排水レス構造では、排水樋等を無くすことができて施工性やメンテナンス性を向上できる利点があるため、近年、その採用が望まれていた。
【先行技術文献】
【特許文献】
【０００５】
【特許文献１】特開２００３−２２１９７３号公報（図１）
【発明の概要】
【発明が解決しようとする課題】
【０００６】
しかしながら、特許文献１の低段差排水レス構造では、アタッチメントを取り外して下枠上面を清掃する際に、下枠上面にアタッチメント取付片が突設されているので、その部分の清掃作業性が悪いという問題があった。
また、建具下枠の上面は、アタッチメントを乗り越えて下枠上面に流出した雨水を浴室側に戻すために水勾配が付けられているため、前記アタッチメント取付片の一部を切り欠いて水が流れるようにする必要があった。このアタッチメント取付片の切欠部分は切削加工となるために、他の下枠上面部分に比べて粗くなり、このため、排水水がスムーズに流れず、排水性が低下したり、水が残ってしまう残水問題が生じるという問題もあった。
【０００７】
本発明の目的は、清掃性および排水性を向上でき、残水問題も減少できる浴室出入口用建具を提供することにある。
【課題を解決するための手段】
【０００８】
本発明の浴室出入口用建具は、浴室出入口に取り付けられる建具枠と、この建具枠に対して開閉可能に設けられた戸とを備えて構成された浴室出入口用建具であって、前記建具枠の下枠は、上面部と、この上面部の脱衣室側端部から上方に立ち上がって形成された立上部とを備え、前記上面部は、浴室側に下がる水勾配を有して形成され、前記上面部には、前記下枠の長手方向に連続する少なくとも１本の溝が形成されるとともに、少なくとも１つのアタッチメント取付部材が取り付けられ、前記アタッチメント取付部材は、その底面から突出して前記溝と係合可能な少なくとも１本の突条部を有し、当該アタッチメント取付部材には、上端が前記立上部上端と略同じ高さに位置されかつ浴室側に向かって低くなる傾斜面を有するスロープ用アタッチメントが係合して取り付けられ、前記スロープ用アタッチメントおよび前記下枠の上面部間には上面部上に流出した水を浴室側に戻す排水空間が形成され、前記スロープ用アタッチメントの端部には、排水口カバー部材が取り付けられ、この排水口カバー部材の浴室側端部には、浴室の洗い場上面との間に開口が形成され、前記排水空間に入った水が前記開口を介して洗い場上面に排水されることを特徴とする。
【０００９】
本発明において、略フラットな面とは、特許文献１のアタッチメント取付片のような突出部分が一体に成形されていない平らな面を意味する。さらに、略フラットな面としては水平面に限定されず、水勾配等が付けられた傾斜面も含むものである。また、引水部材と下枠上面部との所定の隙間としては、下枠上面部に表面張力により滞留しようとする水の高さ寸法（例えば、３mm程度）以下であればよい。
このような本発明によれば、例えば、スロープ用アタッチメントを越えて下枠上面に流出した水は、下枠の立上部によって遮られ、脱衣室側への流出が防止される。そして、下枠上面に流出した水は、アタッチメントおよび下枠上面間に形成された排水空間を介して浴室洗い場側に戻されて排出される。
この際、本発明では、下枠の上面部は略フラットな面とされているので、スロープ用アタッチメントを取り外した際の清掃を容易に行うことができる。
さらに、突条部を溝に係合させることで、アタッチメント取付部材を回り止めすることができ、アタッチメント取付部材の取付作業を容易に行うことができる。
【００１０】
この際、本発明の浴室出入口用建具では、前記上面部の溝と前記アタッチメント取付部材の底面の突条部とは、それぞれ複数本で構成されていることが好ましい。
【図面の簡単な説明】
【００１１】
【図１】本発明の第１実施形態の浴室出入口用建具を示す正面図。
【図２】前記実施形態の浴室出入口用建具の縦断面図。
【図３】前記実施形態の浴室出入口用建具の横断面図。
【図４】浴室出入口用建具の要部である下枠部分を拡大して示す縦断面図。
【図５】スロープ用アタッチメントの取付前状態を示す縦断面図。
【図６】スロープ用アタッチメントの端部を示す斜視図。
【図７】第２実施形態の浴室出入口用建具の下枠部分を示す縦断面図。
【図８】第３実施形態の浴室出入口用建具の下枠部分を示す縦断面図。
【図９】本発明の変形例の浴室出入口用建具の下枠部分を示す縦断面図。
【図１０】第４実施形態の浴室出入口用建具の縦断面図。
【図１１】前記実施形態の浴室出入口用建具の横断面図。
【図１２】前記実施形態の浴室出入口用建具の要部である下枠部分を拡大して示す縦断面図。
【図１３】(Ａ)〜(Ｄ)は、前記実施形態の浴室出入口用建具に設けられる引水部材を示す四面図。
【図１４】第５実施形態の浴室出入口用建具の縦断面図。
【図１５】前記実施形態の浴室出入口用建具の横断面図。
【図１６】前記実施形態の浴室出入口用建具の要部である下枠部分を拡大して示す縦断面図。
【図１７】(Ａ)〜(Ｄ)は、前記実施形態の浴室出入口用建具に設けられる引水部材を示す四面図。
【図１８】前記実施形態の変形例に係る下枠部分を拡大して示す縦断面図。
【図１９】(Ａ)〜(Ｄ)は、前記変形例の浴室出入口用建具に設けられる引水部材を示す四面図。
【発明を実施するための形態】
【００１２】
以下、本発明の一実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１３】
〔第１実施形態〕
本発明の第１実施形態に係る浴室出入口用建具（サッシ）について、図１ないし図４に基づいて説明する。
図１は、本実施形態の浴室出入口用建具１を示す正面図である。図２は、浴室出入口用建具１の縦断面図であり、図３は、浴室出入口用建具１の横断面図である。図４は、浴室出入口用建具１の要部である下枠部分を拡大して示す縦断面図である。図５は、浴室出入口用建具１におけるスロープ用アタッチメント３０の取付前状態を示す縦断面図である。図６は、スロープ用アタッチメント３０の端部を示す斜視図である。
【００１４】
本実施形態の浴室出入口は、浴室床（洗い場）２の床面（上面）２Ａと、脱衣室床３の床面（上面）３Ａおよび建具枠１０の敷居（下枠１２）の最上面との段差が約１０〜１５mm程度以下とされた低段差構造とされている。
この浴室は、浴槽（不図示）や浴室床（防水パン）２等がＦＲＰ（Fiber-Reinforced Plastics ：繊維強化プラスチック）等から一体に形成され、あるいは別体で製造した部材を組み合わせてユニット化されたもので、図示しない躯体上に載置されている。
【００１５】
浴室出入口用建具１は、建具枠１０と、この建具枠１０内に開閉自在に設けられた片開き戸形式の障子（可動障子、戸、扉）２０とを備えた片開き戸形式の建具である。
建具枠１０は、それぞれアルミ押出形材製の上枠１１、下枠１２、および左右の縦枠１３を四周枠組みして形成されている。そして、脱衣室側において、脱衣室床３に下枠１２が、天井４に上枠１１が、それぞれビス止め固定され、浴室側において、浴室床２の端部に形成された支持部２Ｂに下枠１２が載置されて、支持されている。この際、下枠１２の浴室側側面と浴室床２との隙間には、湿式のシール剤５が充填されてシールされている。
これらの上枠１１、縦枠１３の構成や躯体側への取付構造は、従来と同様のものであるため、本実施形態の特徴部分である下枠１２部分を除き説明を省略する。
【００１６】
障子２０は、それぞれアルミ押出形材製の上框２１、下框２２、および左右の竪框２３を四周枠組みし、ガラスや樹脂などの面材２４を組み込んで形成されている。この障子２０は、一方の竪框２３部分で建具枠１０に回動自在に支持されており、一般的な片開き戸と同様の構成であるため、本実施形態の特徴部分である下框２２部分を除き説明を省略する。
【００１７】
下枠１２は、図４にも示すように、略中空筒状の押出成形品であり、略水平な上面部１２１と、上面部１２１の脱衣室側端縁から略垂直に立ち上がる立上部１２２と、この立上部１２２から脱衣室側に延長された被覆部１２３とを備えている。
上面部１２１の下面つまり下枠中空部内面と、立上部１２２の下面（脱衣室側の面）には縦枠１３との接合に利用されるビスホール１２４が形成されている。
【００１８】
また、立上部１２２および被覆部１２３の接合部分には、防水性を高めるためのシール材１２５を保持するポケット部１２６が形成されている。
さらに、立上部１２２の浴室側の側面には、後述するスロープ用アタッチメント３０が係合される係合凹溝（係合凹部）１２７が下枠１２の長手方向に連続して形成されている。
【００１９】
ここで、上面部１２１は略フラットな水平面とされているが、立上部１２２から浴室側端面に向かって低くなるように僅かに傾斜されて水勾配が付けられている。より詳細には、上面部１２１は、水勾配の角度の違いから、閉められた位置にある障子２０の下面に位置する脱衣室側上面部１２１Ａと、この脱衣室側上面部１２１Ａの浴室側に連続する中間上面部１２１Ｂと、この中間上面部１２１Ｂの浴室側に連続する浴室端部側上面部１２１Ｃの３つの領域に区画されている。そして、脱衣室側上面部１２１Ａや浴室端部側上面部１２１Ｃの勾配（傾斜角度）は略水平に近い角度とされ、中間上面部１２１Ｂの勾配（傾斜角度）はこれらの角度に比べて大きくされている。
【００２０】
浴室端部側上面部１２１Ｃの上面には、下枠１２の長手方向に連続する２条の溝１２８が下枠１２の長手方向略全長に渡って形成されている。この溝１２８は、所定の深さ寸法（例えば、０．３〜０．６ｍｍ）を有し、断面略半円形状または断面略三角形状に形成され、浴室端部側上面部１２１Ｃ上の水をこの溝１２８に沿って案内できるようになっている。すなわち、浴室端部側上面部１２１Ｃ上に滞留しようとする水の表面張力が溝１２８により壊されて、浴室端部側上面部１２１Ｃ上に水が滞留しにくくなり、スムーズに排出されるように構成されている。
【００２１】
図３にも示すように、下枠１２の左右両端近傍の２カ所、より具体的には浴室端部側上面部１２１Ｃの左右両端部近傍の２カ所には、アタッチメント取付部材４０がビス４１によって固定されている。
アタッチメント取付部材４０は、図５，６にも示すように、浴室端部側上面部１２１Ｃ上に載置される矩形板状のベース部４２と、このベース部４２の脱衣室側の辺から立設された係合壁部４３と、この係合壁部４３に連続する左右の壁部４４とを備えている。
【００２２】
ベース部４２の下面には、溝１２８に係合する突条部４２Ａが２本形成されている。このため、アタッチメント取付部材４０を１本のビス４１で固定しても、突条部４２Ａを溝１２８に係合させることで、アタッチメント取付部材４０を回り止めすることができ、アタッチメント取付部材４０のビス止め作業を容易に行うことができるようされている。
なお、ビス４１の頭は、前記係合壁部４３、壁部４４で囲まれた凹部に納まり、アタッチメント取付部材４０の上方に突出することがないように構成されている。
【００２３】
壁部４４の上面は傾斜されており、スロープ用アタッチメント３０の傾斜面を支持できるように構成されている。また、係合壁部４３には、スロープ用アタッチメント３０が係合する係合突部４３Ａが形成されている。
【００２４】
スロープ用アタッチメント３０は、アルミニウム合金等の金属製のアタッチメント本体３１と、このアタッチメント本体３１に固定された樹脂製の係合部材３５とを備えて構成されている。
アタッチメント本体３１は、水平面部３２と、水平面部３２の浴室側に連続して形成された傾斜面部３３とを備えている。水平面部３２の下面には互いに対向する方向に突出した断面Ｌ字状の２条の係合突片３２１が一体に形成され、この係合突片３２１に前記係合部材３５が係合固定されている。
傾斜面部３３の下面には、前記アタッチメント取付部材４０の係合壁部４３に係合する係合突片３３１が一体に形成されている。また、傾斜面部３３の浴室側端縁には垂直下方に折曲されて形成された垂直壁部３３２と、この垂直壁部３３２から脱衣室側に折り返されて形成された折返部３３３とが設けられている。
【００２５】
一方、係合部材３５は、係合突片３２１に係合される係合部３６と、前記係合凹溝１２７に係合される係合突部３７とが一体に形成された短尺（ピース状）の部材である。この係合部材３５は、少なくともスロープ用アタッチメント３０の両端近傍に１つずつ、計２つ設けられ、スロープ用アタッチメント３０の長さ寸法によっては、さらに中間部に１〜数個設けられる。
そして、スロープ用アタッチメント３０を下枠１２に取り付けた際に、係合部材３５は脱衣室側上面部１２１Ａに載置され、折返部３３３は浴室床２の床面２Ａに載置され、金属製のアタッチメント本体３１が直接金属製の下枠１２に接触することがないように構成されている。
【００２６】
スロープ用アタッチメント３０の水平面部３２の高さレベルは、下枠１２の被覆部１２３上面と同一とされ、従って、脱衣室床３の床面３Ａとも略同一とされている。
一方、浴室床２の床面２Ａと水平面部３２の高さレベルとは約１０〜１５mm程度異なっており、段差が設けられている。また、垂直壁部３３２の高さ寸法は５mm以下とされ、傾斜面部３３の勾配は１／５（１１度）以下でかつ傾斜面部３３の奥行き寸法が４０mm以内とされていたり、傾斜面部３３の勾配は１／８（約７度以下）とされている。
【００２７】
下框２２の下面には、シール部材２２０が取り付けられている。シール部材２２０は、下框２２に嵌合され、かつ浴室側端縁および脱衣室側端縁にそれぞれシール片２２１，２２２が下方に向かって突設されている。浴室側端縁に形成されたシール片２２１は、アタッチメント本体３１に当接し、浴室側の水がスロープ用アタッチメント３０を越えて流出しないように一次的に防水している。また、脱衣室側端縁に形成されたシール片２２２は、シール材１２５に当接し、前記シール片２２１を越えて流れ込んだ水が脱衣室側に流出しないように二次的に防水している。
【００２８】
スロープ用アタッチメント３０の左右両端には、図３，６に示すように、排水口カバー部材５０が取り付けられている。排水口カバー部材５０は、２つの挿入部５１，５２を備え、挿入部５１を垂直壁部３３２および係合突片３３１間に挿入し、挿入部５２を２つの係合突片３２１間に挿入することで、スロープ用アタッチメント３０に対して着脱可能に取り付けられている。
排水口カバー部材５０は、傾斜面部３３に面一とされた傾斜面部５３と水平面部３２に面一とされた水平面部５４とを備えている。
但し、排水口カバー部材５０には垂直壁部３３２および折返部３３３に相当する部分は形成されておらず、排水口カバー部材５０の浴室側端面と床面２Ａとの間には開口５５が形成されている。
【００２９】
次に、浴室出入口用建具１における排水構造について説明する。
通常、浴室床２からスロープ用アタッチメント３０部分に流れ込んだ水は、スロープ用アタッチメント３０に当接するシール片２２１によって堰き止められ、傾斜面部３３を介して浴室側に戻される。また、スロープ用アタッチメント３０部分に流れ込む水が多い場合、あるいは勢いよく流れ込んだ場合には、流れ込んだ水の一部がシール片２２１を乗り越えることもあるが、この場合には、水平面部３２の脱衣室側端面から上面部１２１に水が流れ落ちる。
【００３０】
上面部１２１に流れ落ちた水は、立上部１２２で堰き止められ、さらにシール材１２５、２２２によって塞がれているので、被覆部１２３側つまり脱衣室の床面３Ａには流出しない。このため、上面部１２１に流れ込んだ水は、その水勾配に従って、上面部１２１上を浴室側に流れる。ここで、スロープ用アタッチメント３０の浴室側端部は垂直壁部３３２によって塞がれているので、水は浴室端部側上面部１２１Ｃ上を左右方向（下枠１２の長手方向）に流れる。
浴室端部側上面部１２１Ｃ上を左右方向に流れた水は、左右の排水口カバー部材５０部分に達し、開口５５から床面２Ａに戻される。
従って、アタッチメント取付部材４０と上面部１２１間に区画形成される空間によって排水空間６０が形成されている。
【００３１】
このような本実施形態によれば、以下のような効果がある。
(1) スロープ用アタッチメント３０を下枠１２に取り付けるにあたって、上面部１２１にアタッチメント取付部材４０を固定し、このアタッチメント取付部材４０にスロープ用アタッチメント３０を係合して取り付けている。このため、特許文献１のようなアタッチメント取付片が下枠の略全長に渡って一体に形成された下枠に比べて、上面部１２１には僅か２カ所に小さなアタッチメント取付部材４０が取り付けられているだけであるため、上面部１２１を殆どフラットな面に形成できる。このため、スロープ用アタッチメント３０を下枠１２から取り外した際に、上面部１２１部分を容易に清掃することができる。
【００３２】
(2) 下枠１２の上面部１２１において突出するのは、アタッチメント取付部材４０のみであり、特許文献１のような下枠長手方向に連続する取付片が存在しないため、排水空間６０において排水の障害となる突出部を少なくでき、排水性能を向上できる。
その上、下枠１２とは別体のアタッチメント取付部材４０を取り付けているので、上面部１２１は取付片を切り欠いた場合に比べて非常に滑らかな面に形成できる。このため、上面部１２１を流れる水は非常にスムーズに流れ、排水性を向上でき、上面部１２１の残水も非常に少なくできる。このため、下枠１２の上面部１２１を即座に乾燥させて、清潔性を維持させることができる。
【００３３】
(3) 浴室端部側上面部１２１Ｃに溝１２８を形成したので、浴室端部側上面部１２１Ｃに流れ込んだ水の表面張力を壊し、溝１２８に沿って下枠１２の端部位置まで水を案内して、排水口カバー部材５０の開口５５から排水することができる。このため、下枠１２の全長に渡って上面部１２１上の水を効果的に排水することができる。
【００３４】
(4) スロープ用アタッチメント３０を、アルミ合金等の金属製のアタッチメント本体３１を用いて構成しているので、耐水性や剛性に優れ、かつ比較的軽量なスロープ用アタッチメント３０とすることができ、容易に取り扱うことができる。
【００３５】
(5) アタッチメント取付部材４０を合成樹脂製とし、かつスロープ用アタッチメント３０において金属製の下枠１２に接する部分を樹脂製の係合部材３５で構成したので、金属製のアタッチメント本体３１が直接金属製の下枠１２に接触することを防止できる。このため、利用者がスロープ用アタッチメント３０を踏んだ際に、金属材同士の接触による音鳴りの発生を防止でき、利用者に不快感を与えることも防止できる。
【００３６】
(6) スロープ用アタッチメント３０は、アタッチメント取付部材４０および下枠１２の係合凹溝１２７に、係合突片３３１および係合突部３７を係合して取り付けているので、スロープ用アタッチメント３０をその見込み方向（浴室から脱衣室に向かう方向）の２カ所で固定でき、スロープ用アタッチメント３０を下枠１２に安定して取り付けることができる。また、スロープ用アタッチメント３０は、下枠１２側に単に係合固定しているだけであるため、ねじ止めなど行う場合に比べて、スロープ用アタッチメント３０の着脱作業を非常に簡単に行え、その分、スロープ用アタッチメント３０を取り外して行う清掃作業の作業性も向上できる。
【００３７】
(7) スロープ用アタッチメント３０の浴室側端部が浴室の床面２Ａまで延出されているので、下枠１２と浴室床２との接合面つまりシール剤５が充填された部分をアタッチメント３０で被覆でき、意匠性および防水性を向上できる。
さらに、浴室床２はＦＲＰ等で構成されているので、金属製のアタッチメント本体３１が直接載置されても、接触による音鳴りを防止することができる。
【００３８】
(8) 下枠１２の立上部１２２と、下框２２との間をシール材１２５、２２２で塞いでいるので、上面部１２１上に流れ込んだ水が立上部１２２を越えたとしても、その水をシール材１２５、２２２で確実に堰き止めることができて防水性能を向上できる。
その上、シール材１２５、２２２を設けることで、立上部１２２の高さ寸法をそれほど大きくする必要が無く、立上部１２２の高さ寸法つまり浴室の床面２Ａと脱衣室の床面３Ａとの段差寸法を１０〜１５mm程度以下に抑えることができ、スロープ用アタッチメント３０を取り付けることで容易にバリアフリー対応の浴室出入口とすることができる。
【００３９】
〔第２実施形態〕
次に、本発明の第２実施形態に係る浴室出入口用建具１Ａについて、図７に基づいて説明する。
浴室出入口用建具１Ａは、折れ戸形式の建具であり、下枠１２には障子（戸）２０を案内するレール１３１が一体に形成されている。このため、スロープ用アタッチメント３０Ａの係合突部３７が係合する係合凹溝１２７は、立上部１２２部分ではなく、レール１３１の根元部分に形成されている。
また、下框２２には、レール１３１に当接するシール材２２３が設けられ、スロープ用アタッチメント３０を越えて流出してきた水を一次的に止水している。なお、第１実施形態と同様に、立上部１２２にも下框２２に当接するシール材１２５が設けられ、シール材２２３を越えた水を更に止水できるように構成している。
なお、浴室出入口用建具１Ａでは、立上部１２２およびレール１３１間に流入した水は、下枠１２の左右方向に流し、その端面から浴室側に戻すように構成している。従って、立上部１２２およびレール１３１間には第２排水空間６１が形成されている。
その他の構成は、前記第１実施形態と同様であるため、説明を省略する。
【００４０】
このような第２実施形態の浴室出入口用建具１Ａにおいても、スロープ用アタッチメント３０Ａを越えた水は、上面部１２１およびスロープ用アタッチメント３０Ａ間の排水空間６０を介して浴室側に排出される。従って、前記第１実施形態と同様の作用効果を奏することができる。
【００４１】
〔第３実施形態〕
次に、本発明の第３実施形態に係る浴室出入口用建具１Ｂについて、図８に基づいて説明する。
浴室出入口用建具１Ｂは、３枚の引戸を有する建具であり、スロープ用アタッチメント３０Ｂには、傾斜面部３３のほか、各引戸を案内する３本のレール１３２が一体に形成されている。そして、スロープ用アタッチメント３０Ｂには、各引戸の下框２２に当接して脱衣室側への水の流出を防止する３本のシール材１３３がそれぞれ取り付けられている。
【００４２】
スロープ用アタッチメント３０Ｂの脱衣室側端部には、樹脂製のスペーサ部材３０１が取り付けられており、下枠１２の立上部１２２に形成された係合凹溝１２７部分に配置されている。
その他の構成は、前記第１実施形態と同様であるため、説明を省略する。
【００４３】
このような第３実施形態の浴室出入口用建具１Ｂにおいては、シール材１３３および下框２２によって脱衣室側への水の流出は防止されるが、仮に、スロープ用アタッチメント３０Ｂを越えた水があっても、その水は上面部１２１およびスロープ用アタッチメント３０Ｂ間の排水空間６０を介して浴室側に排出される。従って、前記第１実施形態と同様の作用効果を奏することができる。
【００４４】
さらに、第３実施形態によれば、レール１３２をスロープ用アタッチメント３０Ｂに一体に形成したので、下枠１２側にレールを一体に形成する必要が無く、下枠１２を例えば開き戸形式の建具用と共通化することもでき、部品種類を少なくできる利点がある。
また、スロープ用アタッチメント３０Ｂ上に障子２０の荷重が加わるために、スロープ用アタッチメント３０Ｂを下枠１２に押し付けることができ、スロープ用アタッチメント３０Ｂの浮き上がりを確実に防止できる。
【００４５】
なお、第３実施形態において、スロープ用アタッチメント３０Ｂを着脱して清掃作業を行う場合には、各障子２０を取り外して行ってもよい。また、スロープ用アタッチメント３０Ｂを下枠１２の長手方向中心部分で２分割し、３枚の障子２０を一方の縦枠１３側に寄せて障子２０が載っていないスロープ用アタッチメント３０Ｂ側を取り外して清掃作業を行い、取り外していたスロープ用アタッチメント３０Ｂを取り付けてそのアタッチメント３０Ｂ上に３枚の障子２０を移動した後、他方のアタッチメント３０Ｂを取り外して清掃作業を行ってもよい。
【００４６】
また、以上の各実施形態では、スロープ用アタッチメント３０，３０Ａ，３０Ｂの浴室側端部を床面２Ａ上まで延長させていたが、図９に示すように、その端部を下枠１２の浴室側端面よりも脱衣室側に位置させて床面２Ａ上に突出しないように構成してもよい。
なお、この場合には、スロープ用アタッチメント３０，３０Ａ，３０Ｂの浴室側端部に樹脂製のスペーサ部材３０２を取り付けて、アタッチメント３０，３０Ａ，３０Ｂが直接下枠１２に接触しないように構成することが音鳴りを防止できる点で好ましい。
【００４７】
〔第４実施形態〕
次に、本発明の第４実施形態に係る浴室出入口用建具１Ｃについて、図１０ないし図１３に基づいて説明する。
図１０は、本実施形態の浴室出入口用建具１Ｃの縦断面図であり、図１１は、浴室出入口用建具１Ｃの横断面図である。図１２は、浴室出入口用建具１Ｃの要部である下枠部分を拡大して示す縦断面図である。図１３(Ａ)〜(Ｄ)は、浴室出入口用建具１Ｃに設けられる引水部材７０を示す四面図であり、(Ａ)は引水部材７０の上面図、(Ｂ)は引水部材７０の側面図、(Ｃ)は引水部材７０の底面図、(Ｄ)は引水部材７０の側面図である。
【００４８】
浴室出入口用建具１Ｃは、建具枠１０Ａと、この建具枠１０Ａ内に開閉自在に設けられた片引き戸形式の障子（可動障子、戸）２０Ａとを備えた片引き戸形式の建具である。
建具枠１０Ａは、それぞれアルミ押出形材製の上枠１１Ａ、下枠１２Ａ、および左右の縦枠１３Ａを四周枠組みして形成されている。そして、建具枠１０Ａの幅方向略中央における上枠１１Ａと下枠１２Ａとの間には、縦骨１４が架設されており、この縦骨１４と一方（図１１の右側）の縦枠１３Ａとの間には、固定面材１５が障子２０Ａよりも浴室側に固定されている。この固定面材１５により開放した際の障子２０Ａを収納する戸袋１６が構成されている。
障子２０Ａは、それぞれアルミ押出形材製の上框２１Ａ、下框２２Ａ、および左右の竪框２３Ａを四周枠組みし、ガラスや樹脂などの面材２４Ａを組み込んで形成されている。そして、障子２０Ａは、その下框２２Ａに設けられた戸車２２Ｂが、下枠１２Ａの立上部１２２よりも脱衣室側に取り付けられたレール部材１３４のレールに案内され、下枠１２Ａの長手方向に沿って開閉移動可能に支持されている。
【００４９】
浴室出入口用建具１Ｃにおいて、スロープ用アタッチメント３０Ｃは、図１１の左側の縦枠１３Ａと縦骨１４との間で、下枠１２Ａの立上部１２２よりも浴室側に取り付けられている。そして、スロープ用アタッチメント３０Ｃの左右両端部には、前記各実施形態と略同様の排水口カバー部材５０が取り付けられている。
スロープ用アタッチメント３０Ｃは、前記実施形態と同様に、アルミニウム合金等の金属製のアタッチメント本体３１を有しており、このアタッチメント本体３１は、水平面部３２と、水平面部３２の浴室側に連続して形成された傾斜面部３３とを備えている。水平面部３２の下面には互いに対向する方向に突出した断面Ｌ字状の２条の係合突片３２１が一体に形成されている。傾斜面部３３の下面には、前記アタッチメント取付部材４０の係合壁部４３に係合する係合突片３３１が一体に形成されている。また、スロープ用アタッチメント３０Ｃの傾斜面部３３は、浴室の浴室床２の床面２Ａ上方まで延出されており、傾斜面部３３の浴室側端縁には下方に折曲されて形成された垂直壁部３３２が設けられている。この垂直壁部３３２の下端には、浴室床２の床面２Ａに当接するシール材３３４が取り付けられている。
【００５０】
スロープ用アタッチメント３０Ｃの下側には、合成樹脂製の一体成形短尺（ピース状）部材である引水部材７０が、下枠１２Ａの長手方向に間隔を開けて２箇所に設けられている。この引水部材７０は、スロープ用アタッチメント３０Ｃの傾斜面部３３下面に設けられた係合突片３３５と、前記係合突片３３１との間に係合されてスロープ用アタッチメント３０Ｃに取り付けられている。そして、引水部材７０は、スロープ用アタッチメント３０Ｃと下枠１２Ａの上面部１２１との間に形成された排水空間６０と、スロープ用アタッチメント３０Ｃと浴室床２の床面２Ａとの間に形成された空間とに跨って設けられている。
なお、引水部材７０は、スロープ用アタッチメント３０Ｃの下側に設ける以外に、排水口カバー部材５０の下側に設けることもできる。
【００５１】
引水部材７０は、図１３にも示すように、平面略矩形板状の第１本体部７１および第２本体部７２と、これら第１および第２の本体部７１，７２を連結する連結部７３と、第１および第２の本体部７１，７２の下面から下方に延出する第１および第２の延出部７４，７５と、連結部７３から上方に延出して係合突片３３１に係合する係止片部７６とを備えて形成されている。そして、スロープ用アタッチメント３０Ｃに取り付けた状態において、第１本体部４１は、下枠１２Ａの上面部１２１に沿って略水平に配置され、第２本体部７２は、スロープ用アタッチメント３０Ｃの傾斜面部３３に沿って配置されるようになっている。
第１および第２本体部７１，７２には、複数の孔７７が当該第１および第２本体部７１，７２を板厚方向に貫通して設けられている。また、第１および第２の延出部７４，７５の下端縁には、円弧状の凹み７８が形成されている。そして、これらの孔７７および凹み７８により表面積拡大手段が構成され、引水部材７０の水平または垂直投影面積に対する表面積が拡大されている。
以上のような引水部材７０は、第１延出部７４の下端縁が下枠１２Ａの上面部１２１に接触するようにしてして設けられており、下枠１２Ａの上面部１２１に水が滞留しようとしても、この水の表面に接触することによって水の表面張力を壊し、上面部１２１上の水を浴室床２側に引っ張って誘導することができるようになっている。
【００５２】
このような第４実施形態の浴室出入口用建具１Ｃにおいては、引水部材７０によって下枠１２Ａの上面部１２１上の水を浴室床２側に誘導することができるので、上面部１２１の残水をより一層少なくすることができる。また、孔７７および凹み７８によって引水部材７０の表面積が拡大されているので、下枠１２Ａの上面部１２１に滞留しようとする水の表面張力を壊しやすくでき、この水をさらに確実に誘導することができる。
【００５３】
〔第５実施形態〕
次に、本発明の第５実施形態に係る浴室出入口用建具１Ｄについて、図１４ないし図１９に基づいて説明する。
図１４は、本実施形態の浴室出入口用建具１Ｄの縦断面図であり、図１５は、浴室出入口用建具１Ｄの横断面図である。図１６は、浴室出入口用建具１Ｄの要部である下枠部分を拡大して示す縦断面図である。図１７(Ａ)〜(Ｄ)は、浴室出入口用建具１Ｄに設けられる引水部材７０Ａを示す四面図であり、(Ａ)は引水部材７０Ａの上面図、(Ｂ)は引水部材７０Ａの側面図、(Ｃ)は引水部材７０Ａの底面図、(Ｄ)は引水部材７０Ａの側面図である。
【００５４】
浴室出入口用建具１Ｄは、前述の第３実施形態と同様の３枚の引戸を有する建具であり、建具枠１０Ｂと、この建具枠１０Ｂ内に開閉自在に設けられた３枚の引き戸形式の障子（可動障子、戸）２０Ｂとを備えている。
建具枠１０Ｂは、それぞれアルミ押出形材製の上枠１１Ｂ、下枠１２Ｂ、および左右の縦枠１３Ｂを四周枠組みして形成されている。３枚の障子２０Ｂは、それぞれアルミ押出形材製の上框２１Ｂ、下框２２Ｂ、および左右の竪框２３Ｂを四周枠組みし、ガラスや樹脂などの面材２４Ｂを組み込んで形成されている。そして、障子２０Ｂは、下枠１２Ｂに取り付けられた前述の第３実施形態と同様のスロープ用アタッチメント３０Ｄのレール１３２に案内され、下枠１２Ｂの長手方向に沿って開閉移動可能に支持されている。また、図１５中、右側の障子２０Ｂは、縦枠１３Ｂに固定され、通常時には開閉移動しないようになっている。
【００５５】
浴室出入口用建具１Ｄにおいて、スロープ用アタッチメント３０Ｄは、左右の縦枠１３Ｂ間で、下枠１２Ｂの立上部１２２よりも浴室側に取り付けられている。そして、スロープ用アタッチメント３０Ｄの左右両端部には、排水口カバー部材５０が取り付けられている。
スロープ用アタッチメント３０Ｄは、前記第３実施形態と同様に、アルミニウム合金等の金属製のアタッチメント本体３１を有しており、このアタッチメント本体３１には、傾斜面部３３のほか、各引戸を案内する３本のレール１３２が一体に形成されている。傾斜面部３３の浴室側端縁には下方に折曲されて形成された垂直壁部３３２が設けられており、この垂直壁部３３２の下端には、浴室床２の床面２Ａに当接するシール材３３４が取り付けられている。そして、スロープ用アタッチメント３０Ｄの下側には、前述の第４実施形態と同様の引水部材７０Ａが設けられており、この引水部材７０Ａは、スロープ用アタッチメント３０Ｄと下枠１２Ｂの上面部１２１との間に形成された排水空間６０と、スロープ用アタッチメント３０Ｄと浴室床２の床面２Ａとの間に形成された空間とに跨って設けられている。
【００５６】
引水部材７０Ａは、第１および第２の本体部７１，７２に孔７７が設けられておらず、また第２延出部７５の下端縁に凹み７８が形成されていない点が前述の第４実施形態の引水部材７０と相違する他は、引水部材７０と略同様の構成を備えている。
この引水部材７０Ａは、第１延出部７４の下端縁が下枠１２Ｂの上面部１２１に対して所定の隙間（例えば、３mm以下の隙間）を有して設けられており、下枠１２Ｂの上面部１２１に水が滞留しようとしても、この水の表面に接触することによって水の表面張力を壊し、上面部１２１上の水を浴室床２側に引っ張って誘導することができるようになっている。
【００５７】
また、本実施形態の引水部材としては、図１８および図１９に示すような構成が採用できる。
図１８は、本実施形態の変形例に係る下枠部分を拡大して示す縦断面図である。図１９(Ａ)〜(Ｄ)は、変形例の引水部材７０Ｂを示す四面図であり、(Ａ)は引水部材７０Ｂの上面図、(Ｂ)は引水部材７０Ｂの側面図、(Ｃ)は引水部材７０Ｂの底面図、(Ｄ)は引水部材７０Ｂの側面図である。
引水部材７０Ｂは、第１本体部７１の長さ寸法が下枠１２Ｂの上面部１２１の見込み寸法と略同一となる程度に長く形成された点が前記引水部材７０と相違する他は、引水部材７０Ａと略同様の構成を備え、下枠１２Ｂの上面部１２１に対して所定の隙間を有して設けられている。
【００５８】
このような第５実施形態の浴室出入口用建具１Ｄにおいては、引水部材７０Ａ，７０Ｂによって下枠１２Ｂの上面部１２１上の水を浴室床２側に誘導することができるので、上面部１２１の残水をより一層少なくすることができる。また、図１８、１９に示すように、引水部材７０Ｂの第１本体部７１を長く形成すれば、下枠１２Ｂの上面部１２１における脱衣室側に近い奥まった位置から浴室床２まで水を誘導することができ、さらに残水を少なくすることができる。
【００５９】
なお、本発明は前記各実施形態の構成に限定されるものではない。
例えば、浴室出入口用建具１としては、前記各実施形態に示す開き戸形式の浴室出入口用建具１、折れ戸形式の浴室出入口用建具１Ａ、三連引戸形式の浴室出入口用建具１Ｂ，１Ｄ、片引き戸形式の浴室出入口用建具１Ｃに限らず、二枚引戸形式の浴室出入口用建具でもよい。従って、建具枠１０，１０Ａ，１０Ｂや障子２０，２０Ａ，２０Ｂの具体的な構造、材質などは、実施にあたって適宜設定すればよい。
さらに、本発明において、脱衣室とは浴室に隣接して設けられて、浴室に出入りする際に利用される空間であればよく、例えば浴室に隣接して設けられた居室や廊下から浴室に出入りする際には、これらの居室や廊下を含む概念である。また、浴室は、ユニット化されたものに限らず、在来工法で形成された浴室であってもよい。
【００６０】
下枠１２と障子２０の下框２２間のシール構造は、各実施形態に記載されたものに限らない。例えば、浴室出入口用建具１Ａでは、下枠１２にシール材１２５を取り付け、下框２２にシール部材２２０を取り付けていたが、一方の部材のみに他方の部材に当接するシール材を取り付けてもよい。
【００６１】
アタッチメント３０，３０Ａ，３０Ｂの構成としても、金属製のアタッチメント本体３１と、樹脂製の係合部材３５やスペーサ部材３０１，３０２等から構成されたものに限らない。例えば、剛性を確保するために肉厚にしたり、リブ等を設けることで、アタッチメント３０，３０Ａ，３０Ｂ全体を樹脂製としてもよい。
また、アタッチメント３０，３０Ａ，３０Ｂ全体をアルミ合金等の金属製としてもよい。但し、金属材同士の接触部分が残ると音鳴りが生じやすいため、例えば、下枠１２の上面部１２１に樹脂被覆を施したりして金属材同士の接触を防止することが好ましい。
【００６２】
同様にアタッチメント取付部材４０も樹脂製のものに限定されず、金属製の部材を用いてもよいが、特にアタッチメント３０，３０Ａ，３０Ｂが金属製の場合には、音鳴りを防止する点で前記実施形態のような樹脂製のものを用いることが好ましい。また、アタッチメント取付部材４０の具体的形状、構成は、前記実施形態のものに限定されず、アタッチメント３０，３０Ａ，３０Ｂを係合固定できるものであればよい。
【符号の説明】
【００６３】
１，１Ａ，１Ｂ，１Ｃ，１Ｄ…浴室出入口用建具、２…浴室床、２Ａ…床面、３…脱衣室床、１０，１０Ａ，１０Ｂ…建具枠、１２，１２Ａ，１２Ｂ…下枠、２０，２０Ａ，２０Ｂ…障子、３０，３０Ａ，３０Ｂ，３０Ｃ，３０Ｄ…スロープ用アタッチメント、３１…アタッチメント本体、３３…傾斜面部、６０，６１…排水空間、７０，７０Ａ，７０Ｂ…引水部材、７１…第１本体部、７２…第２本体部、７３…連結部、７４…第１延出部、７５…第２延出部、７６…係止片部、７７…表面積拡大手段である孔、７８…表面積拡大手段である凹み、１２１…上面部、１２２…立上部。
【図１】
2010163865.tif 000003
【図２】
2010163865.tif 000004
【図３】
2010163865.tif 000005
【図４】
2010163865.tif 000006
【図５】
2010163865.tif 000007
【図６】
2010163865.tif 000008
【図７】
2010163865.tif 000009
【図８】
2010163865.tif 000010
【図９】
2010163865.tif 000011
【図１０】
2010163865.tif 000012
【図１１】
2010163865.tif 000013
【図１２】
2010163865.tif 000014
【図１３】
2010163865.tif 000015
【図１４】
2010163865.tif 000016
【図１５】
2010163865.tif 000017
【図１６】
2010163865.tif 000018
【図１７】
2010163865.tif 000019
【図１８】
2010163865.tif 000020
【図１９】
2010163865.tif 000021